(57)【要約】【課題】広画角でありながら高い解像力を有し、遠方から至近にわたって良好な結像性能を得る。【解決手段】結像光学系は、拡大共役側から縮小共役側に順に、正の屈折力を有する第１レンズユニットＢ１と、正の屈折力を有する第２レンズユニットＢ２と、第３レンズユニットＢ３とを含む。第２レンズユニットは、該第２レンズユニットの内部に中間像を形成する。遠方から至近へのフォーカシングに際して、第２レンズユニットは縮小共役側に移動し、第３レンズユニットは拡大共役側に移動する。【選択図】図１
2019132904.tif 000002
【特許請求の範囲】
【請求項１】
拡大共役側から縮小共役側に順に、
正の屈折力を有する第１レンズユニットと、
正の屈折力を有する第２レンズユニットと、
第３レンズユニットとを含み、
前記第２レンズユニットの内部に中間像が形成され、
遠方から至近へのフォーカシングに際して、前記第２レンズユニットは前記縮小共役側に移動し、前記第３レンズユニットは前記拡大共役側に移動することを特徴する結像光学系。
【請求項２】
前記第１レンズユニットおよび前記第２レンズユニットのそれぞれの最も前記拡大共役側のレンズ面と最も前記縮小共役側のレンズ面との間の距離をＴ１およびＴ２とするとき、
０．４≦Ｔ１／Ｔ２≦２．０
なる条件を満足することを特徴とする結像光学系。
【請求項３】
前記第２レンズユニットのうち、前記中間像に対して前記縮小共役側において最も近いレンズが負レンズであり、
前記負レンズの前記拡大共役側のレンズ面の曲率半径をｒ１、前記縮小共役側のレンズ面の曲率半径をｒ２とし、ｓｆ＝（ｒ１＋ｒ２）／（ｒ１−ｒ２）とするとき、
０＜ｓｆ≦３
なる条件を満足することを特徴とする請求項１または２に記載の結像光学系。
【請求項４】
前記第２レンズユニットは、前記中間像よりも前記拡大共役側の第２Ａレンズユニットと前記中間像よりも前記縮小共役側の第２Ｂレンズユニットとを含み、
前記第２Ａレンズユニットおよび前記第２Ｂレンズユニットは、遠方から至近へのフォーカシングに際して前記縮小共役側にそれぞれ独立に移動することを特徴とする請求項１から３のいずれか一項に記載の結像光学系。
【請求項５】
前記第３レンズユニットは、前記拡大共役側に凸で正の屈折力を有する単レンズにより構成されていることを特徴とする請求項１から４のいずれか一項に記載の結像光学系。
【請求項６】
前記第２レンズユニットは、
前記拡大共役側に凸の非球面正レンズと、
負の屈折力を有する非球面負レンズと、
前記縮小共役側に凸の正レンズとを含むことを特徴とする請求項１から５のいずれか一項に記載の結像光学系。
【請求項７】
前記第３レンズユニットよりも前記縮小共役側に配置され、遠方から至近へのフォーカシングに際して前記拡大共役側または前記縮小共役側に移動する第４レンズユニットを含むことを特徴とする請求項１から６のいずれか一項に記載の結像光学系。
【請求項８】
請求項１から７のいずれか一項に記載の結像光学系と、
前記結像光学系よりも前記縮小共役側に配置された光変調素子とを有し、
前記結像光学系は、前記縮小共役側からの光を前記拡大共役側に結像させる投射光学系であることを特徴とする画像投射装置。
【発明の詳細な説明】
【技術分野】
【０００１】
本発明は、画像投射装置（プロジェクタ）の投射光学系等として用いられる結像光学系に関する。
【背景技術】
【０００２】
プロジェクタには、広画角で高解像力の投射光学系（投射レンズ）が求められている。特許文献１には、内部で中間像を形成することで広画角化を実現する投射レンズが開示されている。
【０００３】
また、高解像化に伴い、より高い像面平坦性が求められるだけでなく、投射距離による像面平坦性の変化を低減することも必要となる。特許文献２には、内部の中間像より縮小共役側のレンズユニットを移動させてフォーカシングを行う投射レンズが開示されている。また、特許文献３には、内部に中間像を形成するレンズユニットとその縮小共役側および拡大共役側にそれぞれ配置された２つのレンズユニットとをそれぞれ縮小共役側に移動させてフォーカシングを行う投射レンズが開示されている。
【先行技術文献】
【特許文献】
【０００４】
【特許文献１】特開平０５−０２７３４５号公報
【特許文献２】特開２０１１−０１７９８４号公報
【特許文献３】特開２０１５−１５２７６４号公報
【発明の概要】
【発明が解決しようとする課題】
【０００５】
しかしながら、特許文献１から３に開示されたように内部に中間像を形成する投射レンズでは、各レンズユニットのパワーが大きくなり易く、レンズユニット間の間隔や偏心のわずかな変化によって解像力が低下する。
【０００６】
本発明では、広画角でありながら高い解像力を有し、遠方から至近にわたって良好な結像性能を有する結像光学系を提供する。
【課題を解決するための手段】
【０００７】
本発明の一側面としての結像光学系は、拡大共役側から縮小共役側に順に、正の屈折力を有する第１レンズユニットと、正の屈折力を有する第２レンズユニットと、第３レンズユニットとを含む。第２レンズユニットの内部に中間像が形成される。そして、遠方から至近へのフォーカシングに際して、第２レンズユニットは縮小共役側に移動し、第３レンズユニットは拡大共役側に移動することを特徴する。
【０００８】
なお、上記結像光学系を投射レンズとして備えた画像投射装置も、本発明の他の一側面を構成する。
【発明の効果】
【０００９】
本発明によれば、広画角でありながら高い解像力を有し、遠方から至近にわたって良好な結像性能を有する結像光学系を実現することができる。
【図面の簡単な説明】
【００１０】
【図１】本発明の実施例１である結像光学系の断面図。
【図２】実施例１の結像光学系の収差図。
【図３】本発明の実施例２である結像光学系の断面図。
【図４】実施例２の結像光学系の収差図。
【図５】本発明の実施例３である結像光学系の断面図。
【図６】実施例３の結像光学系の収差図。
【図７】本発明の実施例４である結像光学系の断面図。
【図８】実施例４の結像光学系の収差図。
【図９】本発明の実施例５である結像光学系の断面図。
【図１０】実施例５の結像光学系の収差図。
【発明を実施するための形態】
【００１１】
以下、本発明の実施例について図面を参照しながら説明する。まず、具体的な実施例（数値例）の説明に先立って、各実施例に共通する事項について説明する。
【００１２】
実施例の結像光学系は、縮小共役側から入射した光を拡大共役側に拡大結像させる広角レンズである。該結像光学系は、拡大共役側から縮小共役側に順に、正の屈折力を有する第１レンズユニットと、正の屈折力を有する第２レンズユニットと、第３レンズユニットとを含む。第２レンズユニットは、その内部に中間像を形成する。そして、遠方から至近へのフォーカシングに際して、第２レンズユニットは縮小共役側に移動し、第３レンズユニットは拡大共役側に移動させる。この際、第１レンズユニットと最終レンズユニット（第４または第５レンズユニット）は不動（固定）である。
【００１３】
第１レンズユニットは、第２レンズユニットの内部に形成された中間像を拡大共役側の被投射面に拡大投射する広角化レンズ部として機能する。第２レンズユニットは、上述したようにその内部に中間像を形成しつつ周辺光線をとり回すフィールドレンズ部として機能する。ここでいう周辺光線をとり回すとは、緩やかに光線を屈折させていき、光路を反転させる又は光線の方向を変化させることをいう。第３レンズユニット以降のレンズユニットは、縮小共役側の原画からの光を第２レンズユニットに導くリレーレンズ部として機能する。
【００１４】
中間像を形成する第２レンズユニットは、中間像の前後で急峻に光線の角度を変化させると収差補正上は有利である。しかし、第２レンズユニットの位置が微小変化したときの収差の変化が大きくなる。このため実施例では、拡大共役側から縮小共役側への（つまりは結像光学系の光軸が延びる光軸方向での）第２レンズユニットの厚みを十分に大きく設定して光線の屈折角度を緩めている。これにより、第２レンズユニットの収差補正性能を向上させつつ位置の微小変化に対する収差補正性能の安定性を向上させている。ここで、レンズユニットの「厚み」とは、該レンズユニットの最も拡大共役側のレンズ面と最も縮小共役側のレンズ面との間の光軸上の距離である。また、前述の収差補正性能の安定性を向上させるとは、レンズの偏心や間隔変化によって収差補正性能が低下しにくいことをいう。
【００１５】
実施例において、第１レンズユニットの厚みをＴ１、第２レンズユニットの厚みをＴ２とするとき、以下の式（１）に示す条件を満足することが望ましい。また以下の式（１ａ）あるいは（１ｂ）に示す条件を満足するとさらに望ましい。
０．４≦Ｔ２／Ｔ１≦２．０      （１）
０．６≦Ｔ２／Ｔ１≦１．８      （１ａ）
０．８≦Ｔ２／Ｔ１≦１．２      （１ｂ）
広角レンズにおける遠方から至近へのフォーカシングに際しては、投射距離の変化に対して像面湾曲が大きく変化するため、光軸上のピント位置の変化だけでなく、投射距離に応じた像面湾曲の補正が重要である。
【００１６】
フィールドレンズ部である第２レンズユニットは、その移動に際して光軸上のピント位置が変化しにくく、像面湾曲を大きく変化させる特徴を持つ。このため、フォーカシングに際して第２レンズユッニトを移動させて像面湾曲を調整する構成を採用することが好ましい。また、第２レンズユニットに加えて、リレーレンズ部の一部を移動させて光軸上のピント位置を変化させる、いわゆるフローティングフォーカスを採用することで、遠方から至近まで高い像面平坦性が得られる。
【００１７】
また、第２レンズユニットは、遠方から至近へのフォーカシングに際して縮小共役側に移動するのが好ましい。これにより、投射距離の変化に伴ってオーバー側に発生する像面湾曲を良好に補正することができる。
【００１８】
このとき第２レンズユニットでは、軸外光線を分離し易い中間像より拡大共役側に、拡大共役側に凸で正の屈折力を有する非球面レンズ（非球面正レンズ）を配置し、縮小共役側に、負の屈折力を有する非球面レンズ（非球面負レンズ）と縮小共役側に凸の正レンズを配置することが好ましい。これにより、中間像高から周辺像高まで良好な像面平坦性が得易く、またフォーカシングに際しても高い像面平坦性を維持することができる。
【００１９】
また、上述したように中間像より縮小共役側に負レンズ（非球面負レンズ）を配置すると、中間像より拡大共役側の広角化レンズ部においてアンダー側に大きく発生した像面湾曲を良好に補正することができる。しかし、上記負レンズのうち中間像に接する（面する）レンズ面の曲率半径を小さくしすぎると該負レンズへの周辺光線の入射角度が大きくなり、像面湾曲の補正性能の安定性が低下する。しかも、像面湾曲の補正過多となって周辺光線が発散すると、リレーレンズ部のレンズ径が大きくなる。ここでいう像面湾曲の補正性能の安定性が低下するとは、レンズの偏心や間隔変化によって像面湾曲の補正性能が容易に低下してしまうことをいう。
【００２０】
このため、実施例では、中間像より縮小共役側の負レンズの形状を、縮小共役側に強い凹の形状として像面湾曲の補正性能の安定性を向上させている。具体的には、負レンズの拡大共役側のレンズ面の曲率半径をｒ１、縮小共役側のレンズ面の曲率半径をｒ２とするとき、ｓｆ＝（ｒ１＋ｒ２）／（ｒ１−ｒ２）が以下の式（２）に示す条件を満足することが好ましい。
【００２１】
０＜ｓｆ≦３    （２）
第１レンズユニットは、その最も拡大共役側の第１面から光線が急な角度で入射するため、その移動に際して収差が変化し易い。このため、収差の安定性を重視して、フォーカシングにおいて固定としている。また、最終レンズユニットは、その移動に際してテレセントリック性が変化し易いため、フォーカシングにおいて固定としている。
【００２２】
なお、前述した第１レンズユニットへ光線が急な角度で入射するとは、本実施例の結像光学系を撮像光学系として用い、被写体からの光が第１レンズユニットに入射した場合を想定した表現である。もちろん、本実施例の結像光学系を投射光学系として用い、液晶パネルからの光が第１レンズユニットから出射すると考えてもよい。
【００２３】
なお、条件式（２）の上限値を以下の式（２ａ）あるいは（２ｂ）に示すように変更してもよい。
０＜ｓｆ≦２．０    （２ａ）
０．３＜ｓｆ≦１．５    （２ｂ）
フィールドレンズ部としての第２レンズユニットが光軸に対して一体に傾くと、中間像より拡大共役側での収差の変化と縮小共役側での収差の変化とが加算される。このため、第２レンズユニットを、中間像より拡大共役側の第２Ａレンズユニットと、中間像より縮小共役側の第２Ｂレンズユニットとにより構成することが好ましい。これにより、第２Ａレンズユッニトと第２Ｂレンズユニットの傾きが変化する際の傾き中心が互いに異なるので、収差変化の加算が緩和され、収差の安定性が向上する。第２Ａレンズユッニトと第２Ｂレンズユニットは互いに同一の軌跡を描くように移動させてもよいし、それぞれ独立に（間隔を変化させるように）移動させてもよい。ただし、第２レンズユニットは前述したようにフィールドレンズ部としての機能を有するので、遠方から至近へのフォーカシングにおいてともに縮小共役側に移動するのが好ましい。
【００２４】
第３レンズユッニトは、正の屈折力を有し、遠方から至近へのフォーカシングに際して拡大共役側に移動すると、像面湾曲が大きく変化せず、拡大共役側への移動によりオーバー側の光軸上のピント位置の移動を補正することができるので好ましい。また、第３レンズユニットは周辺光線に対する影響が小さいため、正の単レンズで構成することが可能である。
【００２５】
以下、具体的な実施例について説明する。
【実施例１】
【００２６】
図１は、実施例１（数値例１）の結像光学系の断面を示す。図１には、それぞれ画像投射装置の構成要素である光変調素子ＬＭとプリズム等の光学素子ＰＲも示している。光変調素子ＬＭは、画像投射装置に入力された映像信号に応じて不図示の光源からの光を変調する。光学素子ＰＲは、光変調素子ＬＭにより変調された光を結像光学系（投射レンズ）に導く。光変調素子ＬＭおよび光学素子ＰＲは、後述する他の実施例を示す図にも示している。
【００２７】
表１は、本実施例の結像光学系の諸数値を示す。図２（ａ），（ｂ）はそれぞれ、本実施例の結像光学系の遠方フォーカス時と至近フォーカス時の結像性能を示す諸収差（球面収差、像面湾曲、歪曲および倍率色収差）を示す。
【００２８】
本実施例の結像光学系は、半画角が５９°程度と広画角で、Ｆ値が２．４程度と明るい投射レンズとして用いられる。本実施例の結像光学系は、フォーカシングに際して固定である正の第１レンズユニットＢ１と、フィールドレンズ部として機能してフォーカシングに際して移動する正の第２レンズユニットＢ２と、フォーカシングに際して移動する第３レンズユニットＢ３とを含む。また、該結像光学系は、フォーカシングに際して固定の第４レンズユニット（最終レンズユニット）ＢＲを含む。第４レンズユニットＢＲは、絞りＳТОを含む。
【００２９】
本実施例の結像光学系では、遠方から至近へのフォーカシングに際して、第２レンズユニットＢ２が縮小共役側に移動し、第３レンズユニットＢ３が拡大共役側に移動する。
【００３０】
本実施例では、第２レンズユニットＢ２は、その移動に伴う像面湾曲の変化が大きく、光軸上のピント位置を大きく変化させない構成を有する。一方、第３レンズユニットＢ３は、その移動に伴う像面湾曲の変化が小さく、光軸上のピント位置を大きく変化させる構成を有する。これにより、光軸上のピント位置と像面湾曲とをそれぞれ独立に調整可能なフローティングフォーカスを実現している。
【００３１】
第２レンズユニットＢ２と第３レンズユニットＢ３は球面収差についても相互にキャンセルする関係を有する。これにより、図２（ａ），（ｂ）に示されるように、遠方から至近へのフォーカシングに際しての収差変動が十分に低減されている。
【００３２】
また本実施例では、周辺光線を大きく屈折させるフィールドレンズ部として機能する第２レンズユニットＢ２の厚み（レンズ１０９の拡大共役側レンズ面からレンズ１１１の縮小共役側レンズ面までの距離）を大きく設定する。これにより、光線の角度の急激な変化を避けて、収差補正性能の安定性を向上させている。
【００３３】
また、第２レンズユニットＢ２における中間像より縮小共役側に負レンズを１１０を配置することで、第１レンズユニットＢ１で発生する像面湾曲を良好に補正している。負レンズ１１０の縮小共役側レンズ面が強い曲率を有することで、光線の急激な曲りを抑えている。
【００３４】
また、第２レンズユニットＢ２において、中間像より拡大共役側のレンズ１０９と縮小共役側のレンズ１１０に非球面を与えている。中間像の近傍では像高ごとに光線が分離し易いため、非球面を設けることで、像高ごとの像面湾曲の差を低減するとともに、フォーカシング時の像面湾曲の変化を低減することができる。
【００３５】
さらに第２レンズユニットＢ２の内部での中間像の位置を、該第２レンズユニットＢ２を構成するレンズ内やその近傍とならないように十分に離すことで、ゴミやレンズ（硝子）の内部歪みの影響による画質の低下が発生しにくいので好ましい。
【００３６】
表１において、｜ｆ｜は基準の焦点距離（ｍｍ）、ＦはＦ値、φは液晶パネル上に形成されるイメージサークルの直径（ｍｍ）、ωは半画角（°）を示す。
【００３７】
また、Ｂは拡大共役側から縮小共役側に順にレンズユニットに付した番号を示す。Ｓは拡大共役側から縮小共役側に順にレンズ面に付した面番号であり、ＥＡは各レンズ面の有効径（ｍｍ）、Ｒは各レンズ面の曲率半径（ｍｍ）、ｄは隣り合うレンズ面間の間隔（ｍｍ）である。ｎｄおよびνｄは、レンズのガラス材料のｄ線（５８７．５６ｎｍ）に対する屈折率およびアッベ数である。ＯＢＪは拡大側共役面（被投射面）を、ＩＭＧは原画（光変調素子）を示す。
【００３８】
面番号の右側にｓが付記されているレンズ面は、絞りＳТОの位置を示している。また、面番号の右側に＊が付記されているレンズ面は、以下の関数に従う非球面形状を有し、表１中に非球面係数（ｒ，Ｋ，Ａ，Ｂ，Ｃ，Ｄ，Ｅ，Ｆ）を示している。ｙはレンズ面の面頂点を基準としたときの径方向の座標を、ｘは該面頂点を基準としたときの光軸方向の座標を示す。
ｘ＝（ｙ2 ／ｒ）／［１＋｛１−（１＋Ｋ）（ｙ２  ／ｒ２  ）｝１／２  ］
＋Ａｙ4 ＋Ｂｙ6 ＋Ｃｙ8 ＋Ｄｙ10＋Ｅｙ12＋Ｆｙ14
図２（ａ），（ｂ）に示す球面収差図において、実線はｄ線（５８７．６ｎｍ）、点線はｆ線（４８６．１ｎｍ）、破線はＣ線（６５６．３ｎｍ）、２点鎖線はｇ線（４３５．８ｎｍ）に対する球面収差を示している。横軸のスケールはデフォーカス量であり、−０．１５〜＋０．１５［ｍｍ］である。また、非点収差図において、実線はジタル像面、点線はメリジオナル像面の像面湾曲を示している。横軸は球面収差と同じである。歪曲収差図においては、横軸のスケールが−１〜＋１［％］で示されている。倍率色収差は、−０．０２０〜０．０２０［ｍｍ］で示されている。表１および  図２（ａ），（ｂ）の表記に関する説明は、後述する他の実施例においても同じである。
（表１）
数値例1
|f|=8.51  F=2.40  φ=28.50  ω=59.2
B    S      EA         R          d       glass          nd       νd
OBJ                       814.00000
1   1     64.68     56.3554     4.0000   SLAL12       1.67790   55.34
2     49.98     31.2050     7.1000
3*    45.80     78.5644     3.5000   LBAL42       1.58313   59.38
4*    33.71     13.4435    24.2000
5      8.55    -16.7984     1.5000   FDS90SG      1.84666   23.78
6     10.06     71.6405     5.0000   PCD51        1.59349   67.00
7     13.09    -13.7363     0.5000
8     15.86     66.1095     6.5000   PCD51        1.59349   67.00
9     17.95    -18.6660     1.4000   FDS90SG      1.84666   23.78
10     20.78     71.4182     6.5000   PCD51        1.59349   67.00
11     23.59    -31.0369    22.0000
12     49.18     93.2048     8.5000   SNPH1W       1.80809   22.76
13     49.83   -163.9735     8.7384
2  14*    52.17     36.2830    10.0000   TAFD25       1.90366   31.31
15     49.96    100.7872    52.6500
16*    27.88     77.6926     3.0000   LBAL42       1.58313   59.38
17*    27.17     14.1781    16.6000
18     34.41   -314.3393     7.5000   SLAH55V      1.83481   42.72
19     35.72    -35.8417    32.3048
3  20     29.89     46.3412     5.5000   SFSL5        1.48749   70.24
21     29.37   -153.2806     7.2068
4  22     26.87    551.6416     1.5000   SFSL5        1.48749   70.24
23     25.90     27.3601     4.8000   SNPH1W       1.80809   22.76
24     24.96     69.1086    12.9000
s25     21.24      1e+018     8.0000
26     19.13   -218.1221     1.5000   FDS90SG      1.84666   23.78
27     19.03     29.2867     6.0000   SFSL5        1.48749   70.24
28     19.53    -27.3685     3.5000
29     19.57    -18.4841     1.5000   TAFD25       1.90366   31.31
30     23.14     86.6773     6.5000   SBSL7        1.51633   64.14
31     26.01    -28.7807     0.5000
32     30.53    369.8007     9.5000   SFPL55       1.43875   94.66
33     32.75    -25.2545     3.8000
34     36.93     62.2259     5.8000   SLAH66       1.77250   49.60
35     36.65      1e+013     8.0600
5  36     40.00      1e+018    38.7000   HK9L         1.51680   64.21
37     40.00      1e+018    19.5000   PBH56        1.84139   24.56
38     40.00      1e+018     5.8500
IMG
非球面データ
surface  3
r =  7.85644e+001 K =  0.00000e+000 A =  2.23482e-005 B = -2.84117e-008
C =  3.84260e-011 D = -2.47414e-014 E =  4.53056e-030 F =  0.00000e+000
surface  4
r =  1.34435e+001 K = -5.84328e-001 A = -4.57376e-005 B =  1.85652e-007
C = -6.68736e-010 D =  2.49098e-013 E = -5.05699e-031 F =  0.00000e+000
surface 14
r =  3.62830e+001 K =  0.00000e+000 A = -2.80744e-006 B = -3.10707e-010
C = -1.83015e-012 D =  1.45035e-015 E = -1.30506e-018 F =  0.00000e+000
surface 16
r =  7.76926e+001 K =  0.00000e+000 A = -4.24838e-005 B =  7.20396e-008
C = -1.15539e-010 D =  1.40383e-013 E = -1.57095e-033 F =  0.00000e+000
surface 17
r =  1.41781e+001 K = -4.28203e-001 A = -8.67428e-005 B =  3.23464e-008
C =  1.17289e-010 D = -8.48144e-013 E = -1.42200e-031 F =  0.00000e+000
各種データ
投射距離   基準        至近        遠方
焦点距離   8.51        8.65        8.35
Ｆ値       2.40        2.40        2.40
画角      59.15       58.73       59.64
像高      14.25       14.25       14.25
全長     372.11      372.13      372.10
d 0      814.000     465.000    3489.000
d13        8.738       9.466       7.902
d19       32.305      30.873      33.950
d21        7.207       7.910       6.399
開始  終了   焦点距離
B1     1    13     25.4544
B2    14    19    104.7337
B3    20    21     73.6580
B4    22    35     59.9260
【実施例２】
【００３９】
図３は、実施例２（数値例２）の結像光学系の断面を示す。表２は、本実施例の結像光学系の諸数値を示す。図４（ａ），（ｂ）はそれぞれ、本実施例の結像光学系の遠方フォーカス時と至近フォーカス時の結像性能を示す諸収差を示す。
【００４０】
本実施例の結像光学系は、半画角が５８°程度と広画角で、Ｆ値が２．４程度と明るい投射レンズとして用いられる。本実施例の結像光学系も、フォーカシングに際して固定である正の第１レンズユニットＢ１と、フォーカシングに際して移動する正の第２レンズユニットＢ２と、フォーカシングに際して移動する第３レンズユニットＢ３とを含む。また、該結像光学系は、フォーカシングに際して固定の第４レンズユニット（最終レンズユニット）ＢＲを含む。第４レンズユニットＢＲは、絞りＳТОを含む。
【００４１】
また本実施例の結像光学系でも、遠方から至近へのフォーカシングに際して、第２レンズユニットＢ２が縮小共役側に移動し、第３レンズユニットＢ３が拡大共役側に移動する。ただし、第２レンズユニットＢ２は、中間像よりも拡大共役側の第２Ａレンズユニットと縮小共役側の第２Ｂレンズユニットがそれぞれ独立に縮小共役側に移動する。
【００４２】
実施例１ではフォーカシング時に第２レンズユニットＢ２が一体で移動するため、第２レンズユニットＢ２が１つの傾き中心回りで傾いた（偏心した）場合に、中間像より拡大共役側で生じる収差変化と中間像より縮小共役側で生じる収差変化とが加算される。これに対して、本実施例では、第２Ａレンズユニットと第２Ｂレンズユニットの傾き中心が互いに異なるため、収差変化の加算が緩和される。
【００４３】
また、第２Ａレンズユニットと第２Ｂレンズユニットは、光軸方向の移動に際して光軸上でのピント位置の移動および球面収差について互いにキャンセルし合う関係にある。このため、第２Ａレンズユニットと第２Ｂレンズユニットを、それらの間隔を大きく変えずに同じ方向（縮小共役側）に移動させると、像面湾曲を独立に制御できるため好ましい。なお、本実施例では、設計自由度を増やす目的で、第２Ａレンズユニットと第２Ｂレンズユニットをそれらの間隔をわずかに変えながら移動させる。
（表２）
数値例2
|f|=8.78  F=2.40  φ=28.50  ω=58.4
B    S      EA         R          d       glass          nd       νd
OBJ                       840.00000
1   1     67.79     67.4794     4.0000   SBSL7        1.51633   64.14
2     50.98     32.1594     6.3094
3*    46.86     63.7994     3.5000   LBAL42       1.58313   59.38
4*    35.38     14.4160    23.5755
5      9.04    -18.5478     1.5000   FDS90SG      1.84666   23.78
6     10.33    113.1304     6.0000   PCD4         1.61800   63.39
7     13.89    -16.0612     0.5000
8     16.37    114.3355     6.0000   PCD4         1.61800   63.39
9     18.33    -18.7162     1.2000   FDS90SG      1.84666   23.78
10     21.13     81.0482     6.0000   PCD4         1.61800   63.39
11     23.44    -28.8496    30.0617
12     54.64    125.5471     8.4000   SNPH1        1.80809   22.76
13     55.38   -161.6460     4.0657
2  14*    57.75     44.5676    11.5000   TAFD25       1.90366   31.31
15     56.00    303.8072    42.6404
3  16*    31.37   1057.1817     2.3000   LBAL42       1.58313   59.38
17*    30.12     16.2945    30.1193
18     39.10  -1616.0801     7.2000   SLAH55V      1.83481   42.72
19*    39.79    -46.5320    24.4084
4  20     30.59     48.8448     4.7000   SFPM3        1.53775   74.70
21     29.58    388.9582    13.1380
5  22     24.07   1357.8956     1.2000   PCD51        1.59349   67.00
23     23.21     23.1051     5.3000   FDS90SG      1.84666   23.78
24     22.41    176.0875     6.3365
s25     19.89      1e+018     9.2860
26     17.31    -68.8551     1.5000   FDS90SG      1.84666   23.78
27     17.37     20.6708     7.5000   SFSL5        1.48749   70.24
28     18.45    -20.3262     3.2565
29     18.74    -16.2733     1.5000   TAFD25       1.90366   31.31
30     22.58    702.5298     6.2000   SBSL7        1.51633   64.14
31     25.57    -24.5996     0.5000
32     30.51  -1479.2158     9.9416   SFPL55       1.43875   94.66
33     33.15    -23.8476     2.5000
34     37.76     64.3242     5.8613   SLAM60       1.74320   49.34
35     37.62   -335.0048     7.0000
6  36     40.00      1e+018    38.7000   SBSL7        1.51633   64.14
37     40.00      1e+018    19.5000   PBH56        1.84139   24.56
38     40.00      1e+018     8.0041
IMG
非球面データ
surface  3
r =  6.37994e+001 K =  1.35316e+000 A =  1.56080e-005 B = -1.47629e-008
C =  1.94549e-011 D = -1.10889e-014 E =  0.00000e+000 F =  0.00000e+000
surface  4
r =  1.44160e+001 K = -5.69640e-001 A = -3.78549e-005 B =  1.28206e-007
C = -4.04978e-010 D =  9.81390e-014 E =  0.00000e+000 F =  0.00000e+000
surface 14
r =  4.45676e+001 K = -6.47274e-001 A = -7.70088e-007 B =  4.08756e-011
C = -1.17367e-013 D =  1.03873e-017 E =  0.00000e+000 F =  0.00000e+000
surface 16
r =  1.05718e+003 K =  0.00000e+000 A = -1.10339e-005 B = -8.30913e-009
C =  6.63707e-011 D = -9.81702e-014 E =  0.00000e+000 F =  0.00000e+000
surface 17
r =  1.62945e+001 K = -6.03705e-001 A = -6.77841e-005 B =  1.01013e-007
C = -1.50394e-010 D =  4.63185e-014 E =  0.00000e+000 F =  0.00000e+000
surface 19
r = -4.65320e+001 K = -1.22510e-001 A =  9.43487e-007 B = -2.43617e-011
C =  3.95374e-013 D =  6.34969e-016 E =  0.00000e+000 F =  0.00000e+000
各種データ
投射距離   基準        至近        遠方
焦点距離   8.78        8.93        8.61
Ｆ値       2.40        2.40        2.40
画角      58.37       57.92       58.86
像高      14.25       14.25       14.25
全長     371.21      371.21      371.21
d 0      840.000     480.000    3600.000
d13        4.066       5.056       3.000
d15       42.640      42.627      42.657
d19       24.408      22.413      26.554
d21       13.138      14.157      12.041
開始  終了   焦点距離
B1     1    13     29.3449
B2    14    15     56.6063
B3    16    19    309.2949
B4    20    21    103.3772
B5    22    35     51.6874
【実施例３】
【００４４】
図５は、実施例３（数値例３）の結像光学系の断面を示す。表３は、本実施例の結像光学系の諸数値を示す。図６（ａ），（ｂ）はそれぞれ、本実施例の結像光学系の遠方フォーカス時と至近フォーカス時の結像性能を示す諸収差を示す。
【００４５】
本実施例の結像光学系は、半画角が５９°程度と広画角で、Ｆ値が２．４程度と明るい投射レンズとして用いられる。本実施例の結像光学系も、フォーカシングに際して固定である正の第１レンズユニットＢ１と、フォーカシングに際して移動する正の第２レンズユニットＢ２と、フォーカシングに際して移動する第３レンズユニットＢ３とを含む。また、該結像光学系も、フォーカシングに際して固定の第４レンズユニット（最終レンズユニット）ＢＲを含む。第４レンズユニットＢＲは、絞りＳТОを含む。
【００４６】
また本実施例の結像光学系でも、遠方から至近へのフォーカシングに際して、第２レンズユニットＢ２が縮小共役側に移動し、第３レンズユニットＢ３が拡大共役側に移動する。ただし、実施例２と同様に、第２レンズユニットＢ２は、中間像よりも拡大共役側の第２Ａレンズユニットと縮小共役側の第２Ｂレンズユニットがそれぞれ独立に縮小共役側に移動する。
【００４７】
本実施例では、フォーカシングにおける第３レンズユニットＢ３の移動量を実施例２よりも小さくして、第２Ａレンズユニットと第２Ｂレンズユニット間の間隔を変化させる。第２Ｂレンズユニットは、その移動による像面湾曲の変化が第２Ａレンズユニットに比べて大きい。このため、第２Ａレンズユニットと第２Ｂレンズユニット間の間隔を変化させながら良好なフォーカシングが可能である。ただし、図６（ａ）から分かるように、至近にて球面収差が発生する等の弊害を防止するために、第３レンズユニットＢ３の移動量を減らしすぎるのは好ましくない。
（表３）
数値例3
|f|=8.42  F=2.40  φ=28.50  ω=59.4
B    S      EA         R          d       glass         nd        νd
OBJ               1e+018  814.00000
1   1     64.68     56.3554     4.0000   SLAL12       1.67790   55.34
2     49.98     31.2050     7.1000
3*    45.80     78.5644     3.5000   LBAL42       1.58313   59.38
4*    33.71     13.4435    24.2000
5      8.55    -16.7984     1.5000   FDS90SG      1.84666   23.78
6     10.06     71.6405     5.0000   PCD51        1.59349   67.00
7     13.09    -13.7363     0.5000
8     15.86     66.1095     6.5000   PCD51        1.59349   67.00
9     17.95    -18.6660     1.4000   FDS90SG      1.84666   23.78
10     20.78     71.4182     6.5000   PCD51        1.59349   67.00
11     23.59    -31.0369    22.0000
12     49.18     93.2048     8.5000   SNPH1W       1.80809   22.76
13     49.83   -163.9735     8.5230
2  14*    52.17     36.2830    10.0000   TAFD25       1.90366   31.31
15     49.96    100.7872    52.7740
3  16*    27.88     77.6926     3.0000   LBAL42       1.58313   59.38
17*    27.17     14.1781    16.6000
18     34.41   -314.3393     7.5000   SLAH55V      1.83481   42.72
19     35.72    -35.8417    32.9060
4  20     29.89     46.3412     5.5000   SFSL5        1.48749   70.24
21     29.37   -153.2806     6.6970
5  22     26.87    551.6416     1.5000   SFSL5        1.48749   70.24
23     25.90     27.3601     4.8000   SNPH1W       1.80809   22.76
24     24.96     69.1086    12.9000
s25     21.24      1e+018     8.0000
26     19.13   -218.1221     1.5000   FDS90SG      1.84666   23.78
27     19.03     29.2867     6.0000   SFSL5        1.48749   70.24
28     19.53    -27.3685     3.5000
29     19.57    -18.4841     1.5000   TAFD25       1.90366   31.31
30     23.14     86.6773     6.5000   SBSL7        1.51633   64.14
31     26.01    -28.7807     0.5000
32     30.53    369.8007     9.5000   SFPL55       1.43875   94.66
33     32.75    -25.2545     3.8000
34     36.93     62.2259     5.8000   SLAH66       1.77250   49.60
35     36.65      1e+013     8.0600
6  36     40.00      1e+018    38.7000   HK9L         1.51680   64.21
37     40.00      1e+018    19.5000   PBH56        1.84139   24.56
38     40.00      1e+018     5.8500
39     40.00      1e+018    -0.0036
IMG
非球面データ
surface  3
r =  7.85644e+001 K =  0.00000e+000 A =  2.23482e-005 B = -2.84117e-008
C =  3.84260e-011 D = -2.47414e-014 E =  4.53056e-030 F =  0.00000e+000
surface  4
r =  1.34435e+001 K = -5.84328e-001 A = -4.57376e-005 B =  1.85652e-007
C = -6.68736e-010 D =  2.49098e-013 E = -5.05699e-031 F =  0.00000e+000
surface 14
r =  3.62830e+001 K =  0.00000e+000 A = -2.80744e-006 B = -3.10707e-010
C = -1.83015e-012 D =  1.45035e-015 E = -1.30506e-018 F =  0.00000e+000
surface 16
r =  7.76926e+001 K =  0.00000e+000 A = -4.24838e-005 B =  7.20396e-008
C = -1.15539e-010 D =  1.40383e-013 E = -1.57095e-033 F =  0.00000e+000
surface 17
r =  1.41781e+001 K = -4.28203e-001 A = -8.67428e-005 B =  3.23464e-008
C =  1.17289e-010 D = -8.48144e-013 E = -1.42200e-031 F =  0.00000e+000
各種データ
投射距離   基準        至近        遠方
焦点距離   8.42        8.45        8.39
Ｆ値       2.40        2.40        2.40
画角      59.42       59.34       59.50
像高      14.25       14.25       14.25
全長     372.11      372.11      372.11
d 0      814.000     465.000    3489.000
d13        8.523       9.015       8.038
d15       52.774      52.956      52.594
d19       32.906      32.200      33.602
d21        6.697       6.730       6.666
開始  終了   焦点距離 
B1     1    13     25.4544
B2    14    15     58.4357
B3    16    19    464.0873
B4    20    21     73.6580 
B5    22    35     59.9260
【実施例４】
【００４８】
図７は、実施例４（数値例４）の結像光学系の断面を示す。表４は、本実施例の結像光学系の諸数値を示す。図８（ａ），（ｂ）はそれぞれ、本実施例の結像光学系の遠方フォーカス時と至近フォーカス時の結像性能を示す諸収差を示す。
【００４９】
本実施例の結像光学系は、半画角が５８°程度と広画角で、Ｆ値が２．３程度と明るい投射レンズとして用いられる。本実施例の結像光学系も、フォーカシングに際して固定である正の第１レンズユニットＢ１と、フォーカシングに際して移動する正の第２レンズユニットＢ２と、フォーカシングに際して移動する第３レンズユニットＢ３とを含む。また、該結像光学系は、フォーカシングに際して移動する第４レンズユニットＢ４と、フォーカシングに際して固定である第５レンズユニット（最終レンズユニット）ＢＲとを含む。第５レンズユニットＢＲは、絞りＳТОを含む。
【００５０】
また本実施例の結像光学系でも、遠方から至近へのフォーカシングに際して、第２レンズユニットＢ２が縮小共役側に移動し、第３レンズユニットＢ３が拡大共役側に移動する。
【００５１】
本実施例では、実施例１〜３に比べて、フォーカシングに際して縮小共役側に移動する第３レンズユニットＢ３と固定である最終レンズユニットＢＲとの間に、縮小共役側に移動する第４レンズユニットＢ４を追加している。このようにフォーカシングにおいて移動するレンズユニットの数を増やすことで、それぞれで生ずる収差を独立に制御し易くしている。
（表４）
数値例4）
|f|=8.79  F=2.30  φ=28.50  ω=58.3
B    S      EA         R          d       glass         nd        νd
OBJ                       844.00000
1   1     73.35     65.7675     4.0000   SLAL14       1.69680   55.53
2     57.12     35.4636     6.0000
3*    53.35     49.7112     3.5000   LLAH53       1.80625   40.91
4*    43.07     18.0000    27.9319
5     12.58    -25.0000     2.0000   FDS90SG      1.84666   23.78
6     11.14     42.8178     8.8278   PCD4         1.61800   63.39
7     14.34    -21.0150     2.0000
8     16.91     79.4301     4.7766   PCD4         1.61800   63.39
9     17.97    -23.0000     1.8000   FDS90SG      1.84666   23.78
10     20.43     58.6068     5.5148   PCD4         1.61800   63.39
11     22.26    -30.2970    27.3884
12     47.10     84.7195     5.8394   SNPH1        1.80809   22.76
13     47.43      1e+018     2.7247
2  14*    50.05     35.0182    10.6265   FDS90SG      1.84666   23.78
15     48.56    240.8730    40.0648
16*    28.43    -50.0000     2.5000   LBAL42       1.58313   59.38
17*    29.14     19.7594    16.3862
18     35.05    -43.0184     5.4123   SLAH53       1.80610   40.93
19     37.35    -31.4626     4.7117
20     40.61      1e+018     5.1806   SLAH53       1.80610   40.93
21     40.97    -67.5430     7.2671
3  22     38.40     42.6261     6.1597   SNBH56       1.85478   24.80
23     37.02    188.7726    23.8947
4 s24     18.94      1e+018    10.0979
25     16.46    -42.1638     1.5000   FD60W        1.80518   25.46
26     16.73     23.5173     8.3979   SFSL5        1.48749   70.24
27     18.26    -24.2640     3.5477
28     18.78    -18.3332     2.0000   STIM28       1.68893   31.07
29     22.30      1e+018     1.0000
30     24.57    344.1939     9.9962   SFPL55       1.43875   94.66
31     29.78    -25.7273     1.0429
32     35.87    144.7302     8.0975   SFPM3        1.53775   74.70
33     36.97    -40.3564     4.5166
5  34*    38.69     65.9354     5.2961   MPCD4        1.61881   63.85
35     38.38  -6705.4987     4.0000
6  36     40.00      1e+018    38.5000   SBSL7        1.51633   64.14
37     40.00      1e+018    19.5000   SF6          1.80518   25.43
38     40.00      1e+018     8.5065
IMG
非球面データ
surface  3
r =  4.97112e+001 K =  0.00000e+000 A =  5.14563e-006 B = -4.31485e-010
C =  3.21002e-012 D = -4.18790e-015 E =  8.09777e-019 F =  0.00000e+000
surface  4
r =  1.80000e+001 K = -6.28478e-001 A = -1.70995e-005 B =  2.11187e-008
C =  1.82247e-011 D = -1.86998e-013 E =  1.53461e-016 F =  0.00000e+000
surface 14
r =  3.50182e+001 K =  0.00000e+000 A = -3.26127e-006 B = -1.22846e-009
C =  1.99537e-012 D = -7.84711e-015 E =  9.12634e-018 F = -4.61432e-021
surface 16
r = -5.00000e+001 K =  0.00000e+000 A = -2.15738e-005 B =  5.35155e-008
C = -5.60339e-011 D =  4.62602e-014 E =  3.28476e-031 F =  5.51725e-036
surface 17
r =  1.97594e+001 K =  0.00000e+000 A = -7.74211e-005 B =  1.59385e-007
C = -4.18206e-010 D =  4.41204e-013 E = -9.52763e-028 F = -1.65042e-018
surface 34
r =  6.59354e+001 K =  0.00000e+000 A = -6.87581e-007 B = -6.99828e-010
C =  1.95465e-012 D = -9.53152e-015 E =  1.62150e-017 F = -1.24616e-020
各種データ
投射距離   基準        至近        遠方
焦点距離   8.79        8.95        8.66
Ｆ値       2.30        2.30        2.30
画角      58.34       57.85       58.72
像高      14.25       14.25       14.25
全長     350.51      350.51      350.51
d 0      844.000     420.000    3600.000
d13        2.725       3.597       2.000
d21        7.267       5.562       8.673
d23       23.895      24.182      23.731
d33        4.517       5.062       4.000
開始  終了   焦点距離
B1     1    13     26.5359
B2    14    21    101.8708
B3    22    23     63.1859
B4    24    33    140.8355 
B5    34    35    105.5470
【実施例５】
【００５２】
図９は、実施例５（数値例５）の結像光学系の断面を示す。表５は、本実施例の結像光学系の諸数値を示す。図１０（ａ），（ｂ）はそれぞれ、本実施例の結像光学系の遠方フォーカス時と至近フォーカス時の結像性能を示す諸収差を示す。
【００５３】
本実施例の結像光学系は、半画角が５８°程度と広画角で、Ｆ値が２．４程度と明るい投射レンズとして用いられる。本実施例の結像光学系は、実施例４の結像光学系の数値変形例であり、フォーカシングにおいて移動するレンズユニットの数を実施例４と同様に増やすことで、それぞれで生ずる収差を独立に制御し易くしている。
（表５）
数値例5
|f|=8.79  F=2.40  φ=28.50  ω=58.3
B    S      EA         R          d       glass         nd        νd
OBJ               1e+018  840.00000
1   1     67.80     67.2868     4.0000   SBSM14       1.60311   60.64
2     51.00     31.7363     6.1984
3*    47.21     66.6012     3.5000   LBAL42       1.58313   59.38
4*    36.70     16.0905    24.1570
5     10.42    -21.6111     2.0000   FDS90SG      1.84666   23.78
6      9.75     46.3140     6.0000   PCD4         1.61800   63.39
7     13.59    -18.2290     0.5000
8     15.77    100.1910     6.0000   PCD4         1.61800   63.39
9     17.59    -18.0000     1.2000   FDS90SG      1.84666   23.78
10     20.34     76.7482     6.0000   PCD4         1.61800   63.39
11     22.57    -25.3834    24.3094
12     46.96     84.7006     7.8000   SNPH4        1.89286   20.36
13     47.39   -299.7774     6.6006
2  14*    48.74     34.3078    10.0000   TAFD25       1.90366   31.31
15     46.42    108.5053    38.9335
16*    28.92    -45.8444     2.3000   LBAL42       1.58313   59.38
17*    29.82     20.8392    21.3611
18     39.39    -54.7334     7.0000   SNBH51       1.74950   35.33
19     41.93    -34.2084     0.5000
20     43.80    100.0195     7.0000   SLAM2        1.74400   44.79
21     43.58   -155.0659     6.7469
3  22     39.91     51.7842     6.0000   SFSL5        1.48749   70.24
23     38.75    468.1203    16.6365
4  24     27.61    -75.0184     1.5000   SBSL7        1.51633   64.14
25     26.00     27.5377     5.0000   SNBH56       1.85478   24.80
26     25.45   -508.4876    12.8299
5 s27     17.63      1e+018     4.8492
28     16.38    -30.1359     1.2000   FDS90SG      1.84666   23.78
29     16.66     36.7551     6.0000   SFSL5        1.48749   70.24
30     17.39    -18.4139     3.1618
31     17.22    -18.2204     1.2000   FDS90SG      1.84666   23.78
32     19.27     88.8761     6.5000   SFSL5        1.48749   70.24
33     22.35    -25.5109     0.5000
34     26.95     58.4978     6.2486   SFPL55       1.43875   94.66
35     28.16    -46.6421    21.3852
36*    38.44    159.9421     6.8000   TAFD25       1.90366   31.31
37     38.98    -68.9764     6.0000
6  38     40.00      1e+018    38.5000   SBSL7        1.51633   64.14
39     40.00      1e+018    19.5000   PBH56        1.84139   24.56
40     40.00      1e+018     7.0054
IMG
非球面データ
surface  3
r =  6.66012e+001 K =  0.00000e+000 A =  1.80218e-005 B = -1.57241e-008
C =  1.99178e-011 D = -9.50319e-015 E =  0.00000e+000 F =  0.00000e+000
surface  4
r =  1.60905e+001 K = -4.97690e-001 A = -2.55125e-005 B =  9.10791e-008
C = -2.80591e-010 D =  4.55201e-014 E =  0.00000e+000 F =  0.00000e+000
surface 14
r =  3.43078e+001 K = -3.85022e-001 A = -2.07580e-006 B =  4.50039e-011
C = -2.70885e-013 D = -1.45048e-016 E =  0.00000e+000 F =  0.00000e+000
surface 16
r = -4.58444e+001 K =  0.00000e+000 A = -1.10911e-005 B = -9.13527e-010
C =  1.28598e-010 D = -2.37027e-013 E =  0.00000e+000 F =  0.00000e+000
surface 17
r =  2.08392e+001 K =  0.00000e+000 A = -6.77610e-005 B =  1.09408e-007
C = -1.50355e-010 D = -9.20233e-014 E =  0.00000e+000 F =  0.00000e+000
surface 36
r =  1.59942e+002 K =  0.00000e+000 A = -1.67195e-006 B = -1.10730e-010
C = -6.42328e-013 D =  0.00000e+000 E =  0.00000e+000 F =  0.00000e+000
各種データ
投射距離   基準        至近        遠方
焦点距離   8.79        8.93        8.61
Ｆ値       2.40        2.40        2.40
画角      58.33       57.93       58.86
像高      14.25       14.25       14.25
全長     362.93      362.93      362.93
d 0      840.000     480.000    3600.000
d13        6.601       7.102       6.062
d21        6.747       4.664       9.469
d23       16.637      18.522      14.036
d26       12.830      12.527      13.246
d37        6.000       6.000       6.000
開始  終了   焦点距離
B1     1    13     22.9139
B2    14    21    131.1935
B3    22    23    118.8773
B4    24    26    139.6854
B5    27    37     40.5940
表６は、実施例１〜５における条件式（１）および（２）の数値をまとめて示す。Ｔ１は第１レンズユッニトＢ１の厚み、Ｔ２は第２レンズユニットＢ２の厚みである。実施例２および実施例３では第２レンズユニットＢ２を第２Ａレンズユニットと第２Ｂレンズユニットに分けているが、ここではＴ２として第２Ａレンズユニットの開始面から第２Ｂレンズユニットの終了面までの距離を示している。ｒ１は中間像より縮小共役側の負レンズ１１０の拡大共役側レンズ面の曲率半径であり、ｒ２は該負レンズ１１０の縮小共役側レンズ面の曲率半径である。ｓｆ（＝（ｒ１＋ｒ２）／（ｒ１−ｒ２））は、負レンズ１１０のシェイプファクタである。
（表６）
2019132904.tif 000003
【００５４】
上述した各実施例の結像光学系は、広画角でありながら高い解像力を有し、遠方から至近にわたって良好な結像性能を有する。
【００５５】
以上説明した各実施例は代表的な例にすぎず、本発明の実施に際しては、各実施例に対して種々の変形や変更が可能である。例えば、前述の各実施例の結像光学系を投射光学系として用いてもよいし、撮影光学系として用いてもよい。
【符号の説明】
【００５６】
Ｂ１  第１レンズユニット
Ｂ２  第２レンズユニット
Ｂ３  第３レンズユニット
【図１】
2019132904.tif 000004
【図２】
2019132904.tif 000005
【図３】
2019132904.tif 000006
【図４】
2019132904.tif 000007
【図５】
2019132904.tif 000008
【図６】
2019132904.tif 000009
【図７】
2019132904.tif 000010
【図８】
2019132904.tif 000011
【図９】
2019132904.tif 000012
【図１０】
2019132904.tif 000013